(57)【要約】      （修正有）【課題】２つの缶容器を損傷を与えずに同じ方向姿勢で且つ高い保持安定性でもって互いに連結保持できるようにする缶連結具を提供する。【解決手段】中央の仕切板２を介して一端側に缶底側挿入筒部３、他端側に缶天板側挿入筒部４それぞれを備える。缶底側挿入筒部３の内周壁面には、一方の缶容器Ｐ１の底部側の角部７周面を当接保持する缶底側支持突部５を設ける。缶天板側挿入筒部４の内周壁面には、他方の缶容器Ｐ２の上端周縁側の口金部分８を係止保持する缶天板側支持片部６を設ける。また、缶天板側支持片部６は上側の水平部分と下側の外向傾斜部分とで略直角三角形状の縦向突片として形成し、水平部分および仕切板２それぞれの間で、缶容器Ｐ２の口金部分８を係止し、外向傾斜部分によって、口金部分８下側のテーパ状周面９を保持する。【選択図】図１
0003153248.tif 000002
【実用新案登録請求の範囲】
【請求項１】
中央の仕切板を介して一端側に一方の缶容器の底部側を挿入する缶底側挿入筒部、他端側に他方の缶容器の上端部を挿入する缶天板側挿入筒部それぞれを備え、一方の缶容器の底部側の補強されている角部周面を保持するよう、缶底側挿入筒部の内周壁面に設けられた缶底側支持突部と、他方の缶容器の上端周縁側に形成されている口金部分を保持させるよう、缶天板側挿入筒部の内周壁面に設けられた缶天板側支持片部とを備えて成ることを特徴とする缶連結具。
【請求項２】
缶天板側支持片部は上側の水平部分と下側の外向傾斜部分とによって略直角三角形状の縦向突片によって形成され、水平部分および仕切板それぞれの間で、缶容器の上端周縁側に形成されている口金部分を係止させ、外向傾斜部分によって、口金部分下側に形成されているテーパ状周面を保持させるものとした請求項１記載の缶連結具。
【請求項３】
仕切板には、缶底側支持突部、缶天板側支持片部それぞれの位置に対応して、成形用の金型の支持部通過用の開口部が形成されている請求項１または２記載の缶連結具。
【考案の詳細な説明】
【技術分野】
【０００１】
本考案は、ビール、コーヒー、ジュース、お茶等の飲料用缶を互いに連結させた状態で携帯、保管等を可能とした缶連結具に関する。
【背景技術】
【０００２】
従来、２つの例えば飲料用の缶容器を連結する缶連結具として、例えば特許文献１に開示されているように、円形天板の周囲上下方向に、それぞれ内周に突条を設けた上部周壁と下部周壁を連続して形成した筒形容器のつなぎ蓋なるものが存在する。すなわち、上下に設けた高さの低い周壁の内周に、缶容器の端縁部が嵌入する環状の突条を形成し、缶容器を上下に連結できるようにするものである。そして、上下の周壁はそれぞれ缶容器の下部と上部を被嵌し、該周壁の内周に突設された突条は、缶容器の補強されている端縁部を乗り越えて嵌まり込むことにより、つなぎ蓋が缶容器から抜け落ちることを防止するものとされている。
【０００３】
また、特許文献２に開示されているように、 缶連結具の環状部の両側面に、連結すべき複数の缶容器の口金を圧入することにより拡開するラッパ状に拡がった高さの低い嵌合部を形成すると共に、これら嵌合部と環状部の連設部内側に、缶容器の口金が嵌合する嵌合溝を形成して成る缶連結具が存在する。
【０００４】
さらに、特許文献３に開示されているように、２個の嵌合部を有する筒体接合具なるものが存在する。これは円形状の基板の表面に高さの低い４個の起立壁が設けられ、これに対応して基板の裏面に４個の起立壁が設けられている。これら各起立壁は円弧状を呈し、基板の外周縁部に周方向に所定の間隔を保持して起立して設けられていて、各嵌合部の枠部を構成している。そして、各起立壁の内周には、缶容器のリング状の突部または凹部が離脱可能に掛止される円弧状の凹部または突部を備えている。
【先行技術文献】
【特許文献】
【０００５】
【特許文献１】実開平７−１９１４７９号公報
【特許文献２】特開平７−２６７２６９号公報
【特許文献３】特開平８−２６２８４号公報
【考案の概要】
【考案が解決しようとする課題】
【０００６】
しかしながら、上述した従来の連結具等においては、特許文献１に開示されているつなぎ蓋の場合、円形天板の周囲上下方向に延びる上部周壁、下部周壁の各周壁内周に突設された突条は、缶容器の補強されている端縁部を乗り越えて嵌まり込むので、缶容器をあまり強く押し込むと当該缶容器の周側面が凹んで亀裂を生じさせてしまう虞がある。しかも、円形天板位置からの上部周壁、下部周壁それぞれの高さが非常に低いため、缶容器の保持安定性に欠けるものである。
【０００７】
また、円形天板を介しての上下周壁の金型による一体成形の場合には、互いに相対向して配置させた雄雌の金型の間に溶融プラスチック素材が流し込まれ、固化成形後の雄雌の金型の引き離しをするとしても、その引き離し自体は、内周に突条が突設された上下周壁を一体成形するということは現実的に不可能である。
【０００８】
また、特許文献２に開示されている缶連結具の場合、缶容器の口金が嵌合する嵌合溝を形成しているが、缶容器の底部側を嵌合することができないので、２つの缶容器を同じ方向である例えば共に上向きの姿勢で連結することができない。そのため、缶容器における天板に設けられたプルトップ等の栓が開けられた飲用途中の２つの缶容器を共に上向きの姿勢となして互いに連結保持しておくことができないので非常に不便である。しかも、ラッパ状に拡がった高さの低い嵌合部であるため、缶容器の保持安定性も非常に悪いものである。
【０００９】
また、缶容器の口金が嵌合する嵌合溝の金型による一体成形において、特許文献１の金型による成形と同様に、固化成形後には雄雌の金型が互いに引き離されるようにして環状部から抜き出されるようにしても、環状部の内側に縮径された部分を一体成形することは原理的に不可能である。すなわち、このような場合では、雄雌の２つの金型に替わって、多面的に配置された４つ以上の金型が必要となり、製造コストも掛かってしまう。
【００１０】
さらに、特許文献３に開示されている筒体接合具の場合、円形状の基板の表面に設けられた高さの低い４個の起立壁によって缶容器を保持するため、これもまた缶容器の保持安定性が非常に低いものとなる。また、円形状の基板自体には凹部または突部の成形用金型を通すための開口部が存在しないため、各起立壁に凹部または突部を形成することは現実的に不可能である。
【００１１】
そこで、本考案は叙上のような従来存した諸事情に鑑み創案されたもので、２つの例えば飲料用の缶容器を損傷を与えずに同じ方向姿勢で且つ高い保持安定性でもって互いに連結保持させることができ、しかも金型構成も簡素化することで安価に製作できる缶連結具を提供することを目的とする。
【課題を解決するための手段】
【００１２】
上述した課題を解決するために、本考案にあっては、中央の仕切板２を介して一端側に一方の缶容器Ｐ１の底部を挿入する缶底側挿入筒部３、他端側に他方の缶容器Ｐ２の上端部を挿入する缶天板側挿入筒部４それぞれを備え、一方の缶容器Ｐ１の底部側の補強されている角部７周面を保持するよう、缶底側挿入筒部３の内周壁面に設けられた缶底側支持突部５と、他方の缶容器Ｐ２の上端周縁側に形成されている口金部分８を保持させるよう、缶天板側挿入筒部４の内周壁面に設けられた缶天板側支持片部６とを備えて成るものである。
また、缶天板側支持片部６は上側の水平部分６ａと下側の外向傾斜部分６ｂとによって略直角三角形状の縦向突片によって形成され、水平部分６ａおよび仕切板２それぞれの間で、缶容器Ｐ２の上端周縁側に形成されている口金部分８を係止させ、外向傾斜部分６ｂによって、口金部分８下側に形成されているテーパ状周面９を保持させるものとして構成することができる。
そしてまた、仕切板２には、缶底側支持突部５、缶天板側支持片部６それぞれの位置に対応して、成形用の金型の支持部通過用の開口部１０が形成されているものとして構成することができる。
【００１３】
以上のように構成された本考案に係る缶連結具にあって、缶底側挿入筒部３に一方の缶容器Ｐ１の底部側が挿入された際には、缶容器Ｐ１の底部側の補強されている角部７周面を缶底側支持突部５によって保持させる。
また、缶天板側挿入筒部４に缶容器Ｐ２の天板側が挿入された際には、缶容器Ｐ２の上端周縁側に形成されている口金部分８が、仕切板２と、缶天板側支持片部６の水平部分６ａとの間に嵌合して係止させられ、口金部分８下側に形成されているテーパ状周面９を、缶天板側支持片部６の外向傾斜部分６ｂによって保持させる。
仕切板２に形成されている成形用の金型の支持部通過用の開口部１０は、金型による一体成形時における缶底側支持突部５、缶天板側支持片部６それぞれの、缶底側挿入筒部３、缶天板側挿入筒部４それぞれ内周面における突部状の形成を容易にさせる。
【考案の効果】
【００１４】
本考案によれば、例えばビール、ジュースその他の飲料を封入している飲料缶の如き２つの缶容器Ｐ１，Ｐ２を損傷を与えずに同じ方向姿勢で且つ高い保持安定性でもって互いに連結保持させることができる。そのため、例えば異なる味わいのあるビール等を封入している２つの缶容器Ｐ１，Ｐ２における飲料をブレンドして楽しむ等に際し、それらを一体的に纏めておくことができ、購入者にとって新たな楽しみも生じ、また、その販売促進に役立てることができる。
【００１５】
すなわち、これは本考案が、中央の仕切板２を介して一端側に一方の缶容器Ｐ１の底部を挿入させる缶底側挿入筒部３、他端側に他方の缶容器Ｐ２の上端部を挿入させる缶天板側挿入筒部４それぞれを備え、一方の缶容器Ｐ１の底部側の補強されている角部７周面を保持するよう、缶底側挿入筒部３の内周壁面に設けられた缶底側支持突部５と、他方の缶容器Ｐ２の上端周縁側に形成されている口金部分８を保持させるよう、缶天板側挿入筒部４の内周壁面に設けられた缶天板側支持片部６とを備えて成るからである。
【００１６】
このように、複数の缶容器Ｐ１，Ｐ２を高い保持安定性で互いに連結できるようにしたことから、種類の異なる缶入り飲料を組合せて販売したり、携帯、保管したりすることができる。そのため、例えば銘柄・種類の異なる珈琲、ビール・日本酒・洋酒等をブレンドするとき、あるいはそれらの味覚を比較するとき等に際し便利である。また、缶容器Ｐ１，Ｐ２における天板に設けられたプルトップ等の栓が開けられた飲用途中の２つの缶容器Ｐ１，Ｐ２であっても、これらを共に上向きの姿勢となして互いに連結保持しておくこともできる。
【００１７】
また、缶天板側支持片部６は上側の水平部分６ａと下側の外向傾斜部分６ｂとによって略直角三角形状の縦向突片によって形成され、水平部分６ａおよび仕切板２それぞれの間で、缶容器Ｐ２の上端周縁側に形成されている口金部分８を係止させ、外向傾斜部分６ｂによって、口金部分８下側に形成されている缶容器Ｐ２のテーパ状周面９を保持させるものとしたので、缶天板側挿入筒部４に缶容器Ｐ２の天板側が挿入された際には、缶容器Ｐ２を非常に高い保持安定性でもって保持させることができ、且つ缶天板側挿入筒部４からの缶容器Ｐ２の抜脱もスムーズに行える。
【００１８】
さらには、仕切板２には、缶底側支持突部５、缶天板側支持片部６それぞれの位置に対応して、成形用の金型の支持部通過用の開口部１０が形成されているので、例えば相対向する対となる成形用の金型によっての一体状の成形を容易にし、金型構成を高価なものとせずに済み、本考案缶連結具を安価に提供し得るものとする。
【００１９】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００２０】
【図１】本考案を実施するための一形態における缶連結具を介して２つの缶容器を連結する状態を示す分解斜視図である。
【図２】同じく缶連結具を介して２つの缶容器を連結した状態の斜視図である。
【図３】同じく２つの缶容器を連結した状態の縦断面図である。
【図４】同じく缶連結具の平面図である。
【考案を実施するための形態】
【００２１】
以下、図面を参照して本考案の実施の形態を詳細に説明すると、図において示される符号１は、２つの缶容器Ｐ１，Ｐ２を共に同じ向きで互いに連結保持しておくための例えばプラスチック素材等によって形成された缶連結具である（図２参照）。該缶連結具１は、図１に示すように、直径約７ｃｍ、厚さ約１．５ｍｍ程度の円形状となった中央の仕切板２を介して、一端側に一方の缶容器Ｐ１の底部を強制的に挿入させるように長さが約２ｃｍの缶底側挿入筒部３を形成し、他端側に他方の缶容器Ｐ２の上端部を強制的に挿入させるように長さが約２ｃｍの缶天板側挿入筒部４を形成してある。
【００２２】
そして、図３および図４に示すように、缶底側挿入筒部３の内周壁面には、円周に沿って例えば１２０°間隔毎に計３個にして、高さ約０．２〜０．５ｍｍ程度の横長もしくは縦長となった突条、またはダボ状の突起等による缶底側支持突部５が形成されている。該缶底側支持突部５は、仕切板２位置から缶底側挿入筒部３に沿って約１ｃｍ程度の高さ位置に形成されており、一方の缶容器Ｐ１の底部下端から円弧状の凹み部分を介して上側約１ｃｍ程度の位置において補強形成されている角部７が適確に、やや強制的にでも当接嵌合されるようにしてある。尚、この缶底側支持突部５は、断面で円弧状を呈していることで角部７との円滑な嵌合操作を可能にし、また、その頂部が角部７にしっくりと当接して、缶底側挿入筒部３内で缶容器Ｐ１の角部７を、計３箇所で周囲からしっかりと保持するようにしてある。
【００２３】
一方、缶天板側挿入筒部４の内周壁面には、円周に沿って１２０°間隔毎に、しかも前記缶底側支持突部５の形成位置と６０°の位相をずらした状態で、他方の缶容器Ｐ２の上端周縁側に形成されている口金部分８を保持させるための缶天板側支持片部６が形成されている。該缶天板側支持片部６は、長さが約５ｍｍ程度の上側の水平部分６ａと、下側の外向傾斜部分６ｂとによって略直角三角形状の縦向突片によって形成されている。そして、水平部分６ａおよび仕切板２それぞれの間で、缶容器Ｐ２の上端周縁側に形成されている口金部分８を係止させると同時に、外向傾斜部分６ｂによって、口金部分８下側に形成されている缶容器Ｐ２のテーパ状周面９を保持させるようにしてある。
【００２４】
また、缶連結具１の金型による成形時において、仕切板２を形成するためのスペース間隔を維持するために、缶底側支持突部５および缶天板側支持片部６それぞれの形成位置に対応して雄雌の金型の各支持部同士が互いに反対方向から近接され、当該両金型は互いに相手の支持部によって係止されることで離隔状態となって支持されるのである。そして、両金型内に溶融プラスチック素材が充填されて凝固した後には、雄雌の金型が互いに引き離されるようにして仕切板２から抜き出されるため、当該仕切板２には必然的に金型の支持部通過用の開口部１０が形成される（図４参照）。
【００２５】
すなわち、円形状の仕切板２の表裏両面における缶底側挿入筒部３および缶天板側挿入筒部４の金型による一体成形において、互いに相対向して配置させた雄雌の金型の間に溶融プラスチック素材が流し込まれるのであるが、この場合において、仕切板２の形成位置に雄雌の金型の支持部が互いに反対方向から通され、当該金型は互いに離隔状態となって支持される。そして、固化成形後には雄雌の金型が互いに引き離されるようにして仕切板２から抜き出されるとき、金型の支持部通過用の開口部１０によって引き離しを容易にさせているのである。このように仕切板２の成形時の安定支持および仕切板２からの金型の支持部抜脱のために開口部１０が形成されるので、缶底側挿入筒部３内周面の缶底側支持突部５、缶天板側挿入筒部４内周面の缶天板側支持突片部６それぞれの突部状構成を容易になし得る。
【００２６】
尚、缶底側支持突部５、缶天板側支持片部６は、図例にあってはそれぞれが３個にして、１２０°間隔で配置形成されているも、図示を省略したが、これらが２個であったり、４個以上であったりしても良いのである。
【００２７】
次に、以上のように構成された形態についての使用の一例について説明すると、図１および図３に示すように、缶底側挿入筒部３に一方の缶容器Ｐ１の底部側を挿入することで、缶容器Ｐ１の底部側の補強されている角部７周面が、３つの缶底側支持突部５によって圧接状に当接されることで、缶容器Ｐ１の底部が缶底側挿入筒部３によって保持される。このとき、缶天板側挿入筒部４および缶底側挿入筒部３それぞれが約２ｃｍ程度となって長いので、缶容器Ｐ１をしっかりと保持しておくことができる。
【００２８】
そして、缶天板側挿入筒部４に他方の缶容器Ｐ２の天板側を挿入することで、缶容器Ｐ２の上端周縁側の口金部分８が缶天板側支持片部６の外向傾斜部分６ｂを乗り越え、仕切板２と、３つの缶天板側支持片部６の各水平部分６ａとの間に口金部分８が嵌合し係止することになるから、缶容器Ｐ２の上部が缶天板側支持片部６によって保持される。すなわち、缶容器Ｐ２の口金部分８下側に形成されているテーパ状周面９が、３つの缶天板側支持片部６の各外向傾斜部分６ｂによって保持させられる。
【００２９】
こうして、例えば種類の異なるビール、コーヒー等の缶入り飲料を組合せて販売したり、携帯、保管したりすることができる。このため、例えば銘柄・種類の異なるビール、珈琲等をブレンドするときには、缶底側挿入筒部３から一方の缶容器Ｐ１を取り外し、缶天板側挿入筒部４から他方の缶容器Ｐ２を取り外し、天板に設けられたプルトップ等の各栓を開けてからブレンドすれば良い。また、飲みかけの２つの缶容器Ｐ１，Ｐ２を缶連結具１によって共に上向きの姿勢となって互いに連結しておくこともできるので、当該飲みかけの２つの缶容器Ｐ１，Ｐ２を嵩張らずに冷蔵庫等に一時的にでも収納、保管しておくことも可能であり、その後に再度飲用することもできる。
【符号の説明】
【００３０】
Ｐ１，Ｐ２…缶容器
１…缶連結具                            ２…仕切板
３…缶底側挿入筒部                      ４…缶天板側挿入筒部
５…缶底側支持突部                      ６…缶天板側支持片部
６ａ…水平部分                          ６ｂ…外向傾斜部分
７…角部                                ８…口金部分
９…テーパ状周面                        １０…開口部
【図１】
0003153248.tif 000003
【図２】
0003153248.tif 000004
【図３】
0003153248.tif 000005
【図４】
0003153248.tif 000006